(57)【要約】【課題】音漏れを抑制することができる電子機器収容ラックを提供する。【解決手段】ラック本体１１に設けられた吸入口４１から吸い込んだ冷却用空気を排出口１０１から排出する。前記吸入口４１から内部に連通する吸入側連通路６１と、内部から前記排出口１０１に連通する排出側連通路１２１とをクランク状に形成する。【選択図】図２
2009176783.tif 000002
【特許請求の範囲】
【請求項１】
ラック本体に設けられた吸入口から吸い込んだ冷却用空気を排出口から排出する電子機器収容ラックにおいて、
前記吸入口から内部に連通する吸入側連通路と、内部から前記排出口に連通する排出側連通路とをクランク状に形成したことを特徴とする電子機器収容ラック。
【請求項２】
前記ラック本体の天面を形成するトップカバー又は前記ラック本体の側面を形成するサイドカバーの少なくとも一方を、外面及び内面を備えた密閉式の二重構造としたことを特徴とする請求項１記載の電子機器収容ラック。
【請求項３】
前記トップカバー又は前記サイドカバーの少なくとも一方に吸音材を設けたことを特徴とする請求項２記載の電子機器収容ラック。
【発明の詳細な説明】
【技術分野】
【０００１】
本発明は、コンピュータやネットワーク機器等の電子機器を収容する電子機器収容ラックに関する。
【背景技術】
【０００２】
従来、コンピュータやネットワーク機器等の電子機器を管理する際には、電子機器収容ラックが用いられている。
【０００３】
また、近年では、ＩＴ化が進み、オフィス環境や静かな空間にコンピュータ等の電子機器を設置するケースが増えており、オフィス等に１９インチラックを設置し、この１９インチランクに電子機器を収容し管理している。
【発明の開示】
【発明が解決しようとする課題】
【０００４】
しかしながら、このような電子機器収容ラックにあっては、搭載される電子機器の消費電力が年々増大しており、これ伴って機器冷却用ファン等の騒音が問題視されている。
【０００５】
特にオフィス環境等に１９インチラックが設置されるケースでは、機器の騒音が職場環境を低下する恐れがある。
【０００６】
本発明は、このような従来の課題に鑑みてなされたものであり、音漏れを抑制することができる電子機器収容ラックを提供することを目的とするものである。
【課題を解決するための手段】
【０００７】
前記課題を解決するために本発明の請求項１の電子機器収容ラックにあっては、ラック本体に設けられた吸入口から吸い込んだ冷却用空気を排出口から排出する電子機器収容ラックにおいて、前記吸入口から内部に連通する吸入側連通路と、内部から前記排出口に連通する排出側連通路とをクランク状に形成した。
【０００８】
すなわち、ラック本体に設けられた吸入口から内部に連通する吸入側連通路は、クランク状に形成されており、ラック内部のファンモータ等から発生した騒音は、クランク状の前記吸入側連通路を通過する際に減衰される。
【０００９】
また、ラック本体の内部から排出口に連通する排出側連通路は、クランク状に形成されており、ラック内部のファンモータ等から発生した騒音は、クランク状の前記排出側連通路を通過する際に減衰される。
【００１０】
これにより、ラック内の騒音のラック外への漏れが低減される。
【００１１】
また、請求項２の電子機器収容ラックにおいては、前記ラック本体の天面を形成するトップカバー又は前記ラック本体の側面を形成するサイドカバーの少なくとも一方を、外面及び内面を備えた密閉式の二重構造とした。
【００１２】
すなわち、前記ラック本体の天面を形成するトップカバー又は前記ラック本体の側面を形成するサイドカバーの少なくとも一方を密閉式の二重構造とすることによって、その内面と外面との間に空気層を形成することができる。
【００１３】
これにより、騒音の伝達防止効果が高められる。
【００１４】
さらに、請求項３の電子機器収容ラックでは、前記トップカバー又は前記サイドカバーの少なくとも一方に吸音材を設けた。
【００１５】
すなわち、前記トップカバー又は前記サイドカバーの少なくとも一方に吸音材を設けることによって、静音効果が高められる。
【発明の効果】
【００１６】
以上説明したように本発明の請求項１の電子機器収容ラックにあっては、ラック本体に設けられた吸入口から内部に連通する吸入側連通路をクランク状に形成することによって、ラック内部で発生した騒音がクランク状の前記吸入側連通路を通過する際に減衰することができる。
【００１７】
これにより、前記吸入口からの外部へ漏れる騒音を低減することができる。
【００１８】
また、前記ラック本体の内部から排出口に連通する排出側連通路をクランク状に形成することによって、ラック内部で発生した騒音がクランク状の前記排出側連通路を通過する際に減衰することができる。
【００１９】
このように、外部に連通した前記吸入口及び前記排出口から外部へ漏れる騒音を低減することができるため、ラック本体からの音漏れを抑制することができる。これにより、オフィス等に設置した場合であっても、騒音による職場環境低下を防止することができる。
【００２０】
また、騒音の漏れを低減できるため、内部に設けられた冷却用ファンの大型化が可能となり、大型のファンを備えたコンピュータ等の電子機器を実装することができる。これにより、実装機器の発熱対策にも対応可能である。
【００２１】
したがって、静音構造による静音効果によって、ラック本体内の騒音がラック外に漏れる事を低減でき、従来技術では難しかった静音と機器の熱処理が実現可能となる。
【００２２】
また、請求項２の電子機器収容ラックにおいては、前記ラック本体の天面を形成するトップカバー又は前記ラック本体の側面を形成するサイドカバーの少なくとも一方を密閉式の二重構造とすることによって、その内面と外面との間に空気層を形成することができる。
【００２３】
これにより、騒音の伝達防止効果が高めることができ、前記トップカバー又は前記サイドカバーを伝達する音漏れも防止することができる。
【００２４】
さらに、請求項３の電子機器収容ラックでは、前記トップカバー又は前記サイドカバーの少なくとも一方に吸音材を設けることによって静音効果がさらに高めることができる。
【発明を実施するための最良の形態】
【００２５】
以下、本発明の一実施の形態を図に従って説明する。
【００２６】
図１は、本実施の形態にかかる電子機器収容ラック１を示す図である。この電子機器収容ラック１は、コンピュータやネットワーク機器等の電子機器を収容して管理するものであり、オフィス等ので使用に適した１９インチラックが示されている。
【００２７】
この電子機器収容ラック１のラック本体１１は、図２にも示すように、縦長の直方体形状に形成されたフレームを備えており、当該ラック本体１１の底面１２は、図３にも示すように、矩形状の底面カバー１３によって形成されている。また、前記ラック本体１１の天面１４は、トップカバー１５によって形成されており、左右の側面１６，１６は、サイドカバー１７，１７によって形成されている。
【００２８】
前記ラック本体１１の前面２１は、図１に示したように、フロントドア２２で構成されており、該フロントドア２２を開閉して電子機器を収容できるように構成されている。また、前記ラック本体１１の背面２３は、リヤドア２４で構成されており、該リヤドア２４を開閉することによって背面側からも電子機器を収容できるように構成されている。
【００２９】
これにより、当該ラック本体１１は、前記底面カバー１３と、前記トップカバー１５と、前記両サイドカバー１７，１７と、前記フロントドア２２と、前記リヤドア２４とによって包囲されており、その内部には、図２に示したように、電子機器支持柱３１，３１が立設された電子機器収容部３２が形成さている。
【００３０】
前記フロントドア２２の上部及び下部には、図１に示したように、多数の開口穴を備えた吸気口４１，４１が設けられており、このフロントドア２２の裏側には、図２に示したように、上下を区画する前部仕切り板４２が設けられている。これにより、前記各吸気口４１，４１から吸入された冷却用空気を均一に流すた為の構造が前記前部仕切板４２の上下に形成されている。
【００３１】
前記前部仕切板４２の上部に区画された空間には、前記トップカバー１５に設けられたブラケット５１を介して吸気側上部仕切板５２が延出しており、該吸気側上部仕切板５２と前記前部仕切壁４２との間には、間隙が形成されている。前記吸気側上部仕切板５２の内側には、前記ブラケット５１に支持されたファンユニット５３が設けられており、該ファンユニット５３は、ファンモータで回転されるファンによって構成されている。
【００３２】
これにより、当該ラック本体１１の外部から前記フロントドア２２の前記吸気口４１を介して吸入された冷却用空気は、前記吸気側上部仕切板５２によって下方へ流れ、該吸気側上部仕切板５２と前記前部仕切板４２との間隙を介して前記ファンユニット５３に到達し、該ファンユニット５３によって前記電子機器収容部３２内に送られるように構成されている。
【００３３】
また、前記前部仕切板４２の上部に区画された空間には、前記吸入口４１から内部である前記電子機器収容部３２に連通し前記冷却用空気が通流する吸入側連通路６１がクランク状に形成されており、前記ファンユニット５３から発生する騒音や前記電子機器収容部３２に実装された実装機器の騒音が直接前記吸入口４１からラック外部に漏れないように構成されている。
【００３４】
そして、風路周囲を構成する前記フロントドア２２の内側面及び前記吸気側上部仕切板５２には、例えば発泡スチロールで構成された吸音材７１が貼り付けられている（吸気側上部仕切板５２側のみ図示）。
【００３５】
これと同様に、前記前部仕切板４２の下部に区画された空間には、前記底面カバー１３に設けられたブラケット８１を介して吸気側下部仕切板８２が延出しており、該吸気側下部仕切板８２と前記前部仕切壁４２との間には、間隙が形成されている。前記吸気側下部仕切板８２の内側には、前記ブラケット８１に支持されたファンユニット８３が設けられており、該ファンユニット８３は、ファンモータで回転されるファンによって構成されている。
【００３６】
これにより、当該ラック本体１１の外部から前記フロントドア２２の前記吸気口４１を介して吸入された冷却用空気は、前記吸気側下部仕切板８２によって下方へ流れ、該吸気側下部仕切板８２と前記前部仕切板４２との間隙を介して前記ファンユニット８３に到達し、該ファンユニット８３によって前記電子機器収容部３２内に送られるように構成されている。
【００３７】
これにより、前記前部仕切板４２の下部に区画された空間には、前記吸入口４１から内部である前記電子機器収容部３２に連通し前記冷却用空気が通流する吸入側連通路９１がクランク状に形成されており、前記ファンユニット８３から発生する騒音や前記電子機器収容部３２に実装された実装機器の騒音が直接前記吸入口４１からラック外部に漏れないように構成されている。
【００３８】
そして、風路周囲を構成する前記フロントドア２２の内側面及び前記吸気側下部仕切板８２にも、例えば発泡スチロールで構成された吸音材８２ａが貼り付けられている（吸気側下部仕切板８２側のみ図示）。
【００３９】
また、前記リアドア２４の上部及び下部には、図１に示したように、多数の開口穴を備えた排出口１０１，１０１が設けられており、このリアドア２４の裏側には、図２に示したように、上下を区画する後部仕切板１０２が設けられている。
【００４０】
前記後部仕切板１０２の上部に区画された空間には、前記トップカバー１５に設けられたブラケット１１１を介して排出側上部仕切板１１２が延出しており、該排出側上部仕切板１１２と前記後部仕切壁１０２との間には、間隙が形成されている。前記排出側上部仕切板１１２の内側には、前記ブラケット１１１が構成する整流板１１３が設けられており、該整流板１１３の内側に前記電子機器収容部３２が設けられている。
【００４１】
これにより、前記電子機器収容部３２内を通過した冷却用空気は、前記整流板１１３を通過して前記後部仕切板１０２の上部に区画された空間を通るとともに、前記排出側上部仕切板１１２によって下方へ流れ、該排出側上部仕切板１１２と前記後部仕切板１０２との間隙を介して上方へ流れた後、前記リアドア２４の前記排出口１０１からラック外に排出されるように構成されている。
【００４２】
また、前記後部仕切板１０２の上部に区画された空間には、内部である前記電子機器収容部３２から前記排出口１０１に連通し前記冷却用空気が通流する排出側連通路１２１がクランク状に形成されており、前記ファンユニット５３から発生する騒音や前記電子機器収容部３２に実装された実装機器の騒音が直接前記排出口１０１からラック外部に漏れないように構成されている。
【００４３】
そして、風路周囲を構成する前記リヤドア２４の内側面及び前記排出側上部仕切板１１２には、例えば発泡スチロールで構成された吸音材１３１が貼り付けられている（排出側上部仕切板１１２側のみ図示）。
【００４４】
なお、前記整流板１１３を前述したファンユニット５３に組み替えることで、ラック内の冷却効果を高めることが出来る。
【００４５】
前記後部仕切板１０２の下部に区画された空間には、前記底面カバー１３に設けられたブラケット１５１を介して排出側下部仕切板１５２が延出しており、該排出側下部仕切板１５２と前記後部仕切壁１０２との間には、間隙が形成されている。前記排出側下部仕切板１５２の内側には、前記ブラケット１５１が構成する整流板１５３が設けられており、該整流板１５３の内側に前記電子機器収容部３２が設けられている。
【００４６】
これにより、前記電子機器収容部３２内を通過した冷却用空気は、前記整流板１５３を通過して前記後部仕切板１０２の下部に区画された空間を通るとともに、前記排出側下部仕切板１５２によって上方へ流れ、該排出側下部仕切板１５２と前記後部仕切板１０２との間隙を介して下方へ流れた後、前記リアドア２４の前記排出口１０１からラック外に排出されるように構成されている。
【００４７】
また、前記後部仕切板１０２の下部に区画された空間には、内部である前記電子機器収容部３２から前記排出口１０１に連通し前記冷却用空気が通流する排出側連通路１６１がクランク状に形成されており、前記ファンユニット８３から発生する騒音や前記電子機器収容部３２に実装された実装機器の騒音が直接前記排出口１０１からラック外部に漏れないように構成されている。
【００４８】
そして、風路周囲を構成する前記リヤドア２４の内側面及び前記排出側下部仕切板１５２には、例えば発泡スチロールで構成された吸音材１７１が貼り付けられている（排出側下部仕切板１５２側のみ図示）。
【００４９】
なお、前記整流板１５３を前述したファンユニット８３に組み替えることで、ラック内の冷却効果を高めることが出来る。
【００５０】
これにより、前記吸入口４１，４１から吸い込んだ冷却用空気を前記電子機器収容部３２を介して前記排出口１０１，１０１から排出できるように構成されている。
【００５１】
前記サイドカバー１７は、図４に示したように、外側を形成する外面カバー２０１と、該外面カバー２０１に対向した内面カバー２０２とを備えており、両カバー２０１，２０２は、周縁が接合されている。これにより、両カバー２０１，２０２間には、密閉空間２０３が形成されており、密閉式の二重構造が形成されている。
【００５２】
これにより、前記内面カバー２０２と前記外面カバー２０１との間には、空気層が形成されており、前記実装機器の騒音が外部に漏れることを低減する構造となっている。
【００５３】
そして、このサイドカバー１７には、必要に応じて吸音材２１１を貼り付けることで、更に高い静音効果を得られるように構成されており、本実施の形態では、前記密閉空間２０３内に発泡スチロールで構成された吸音材２１１が設けられている。
【００５４】
また、前記トップカバー１５は、外側を形成する外面カバー３０１と、該外面カバー３０１に対向した内面カバー３０２とを備えており、両カバー３０１，３０２は、周縁が接合されている。これにより、両カバー３０１，３０２間には、密閉空間３０３が形成されており、密閉式の二重構造が形成されている。
【００５５】
これにより、前記内面カバー３０２と前記外面カバー３０１との間には、空気層が形成されており、前記実装機器の騒音が外部に漏れることを低減する構造となっている。
【００５６】
そして、このトップカバー１５には、必要に応じて吸音材を貼り付けることで、更に高い静音効果を得られるように構成されている。
【００５７】
以上の構成にかかる本実施の形態において、ラック本体１１に設けられた吸入口４１，４１から内部に連通する吸入側連通路６１，９１は、クランク状に形成されており、ラック内部のファンモータ等から発生した騒音がクランク状の前記吸入側連通路６１，９１を通過する際に減衰することができる。
【００５８】
また、前記ラック本体１１の内部から排出口１０１，１０１に連通する排出側連通路１２１，１６１は、クランク状に形成されており、ラック内部のファンモータ等から発生した騒音がクランク状の前記排出側連通路１２１，１６１を通過する際に減衰することができる。
【００５９】
このように、外部に連通した前記吸入口４１，４１及び前記排出口１０１，１０１から外部へ漏れる騒音を低減することができるため、ラック本体１１からの音漏れを抑制することができる。これにより、当該電子機器収容ラック１をオフィス等に設置した場合であっても、騒音による職場環境低下を防止することができる。
【００６０】
また、騒音の漏れを低減できるため、内部に設けられた冷却用ファンの大型化が可能となり、大型のファンを備えたコンピュータ等の電子機器を実装することができる。これにより、実装機器の発熱対策にも対応可能である。
【００６１】
したがって、静音構造による静音効果によって、ラック本体１１内の騒音がラック外に漏れる事を低減でき、従来技術では難しかった静音と機器の熱処理が実現可能となる。
【００６２】
また、前記ラック本体１１の天面１４を形成するトップカバー１５及び前記ラック本体１１の側面１６，１６を形成するサイドカバー１７，１７を密閉式の二重構造とすることによって、その内面カバー２０２，３０２と外面カバー２０１，３０１との間に空気層を形成することができる。
【００６３】
これにより、騒音の伝達防止効果が高めることができ、前記トップカバー１５及び前記サイドカバー１７，１７を伝達する音漏れも防止することができる。
【００６４】
さらに、前記トップカバー１５又は前記サイドカバーの１７，１７少なくとも一方に、本実施の形態では、サイドカバー１７，１７に吸音材２１１を設けたため、静音効果をさらに高めることができる。
【図面の簡単な説明】
【００６５】
【図１】本発明の一実施の形態を示す図である。
【図２】図１のＡ−Ａ断面図である。
【図３】図１のＢ−Ｂ断面図である。
【図４】図３のＣ部拡大図である。
【符号の説明】
【００６６】
１    電子機器収容ラック
１１    ラック本体
１４    天面
１５    トップカバー
１６    側面
１７    サイドカバー
４１    吸入口
６１    吸入側連通路
９１    吸入側連通路
１０１    排出口
１２１    排出側連通路
１６１    排出側連通路
２０１    外面カバー
２０２    内面カバー
２１１    吸音材
３０１    外面カバー
３０２    内面カバー
【図１】
2009176783.tif 000003
【図２】
2009176783.tif 000004
【図３】
2009176783.tif 000005
【図４】
2009176783.tif 000006